(57)【要約】【課題】構成が簡単で、地上に設置された既設の害獣侵入防止用柵を利用して容易に構成することもでき、地中に穴を掘って侵入する害獣の侵入を確実に防止できる地中侵入害獣防止用柵及びこの地中侵入害獣防止用柵を備えた害獣侵入防止用柵を提供すること。【解決手段】横方向に所定の間隔Ｐ３で配置された複数本の縦筋材１２と、縦筋材１２の上部に配置された複数本の横筋材１４とを具備する。複数本の横筋材１４と複数本の縦筋材１２はそれぞれ交差部で互いに結合され、最下部の横筋材１４より下方の縦筋材１２は所定の長さＬで下方に延伸する延伸部１２ａとなっている。延伸部１２ａを地中に埋設する。【選択図】図１
0003205632.tif 000002
【実用新案登録請求の範囲】
【請求項１】
横方向に所定の間隔で配置された複数本の縦筋材と、前記縦筋材の上部に配置された１本の横筋材又は上部から下方に向かう所定の範囲に縦方向に所定の間隔で配置された複数本の横筋材を具備し、前記１本の横筋材又は前記複数本の横筋材と前記複数本の縦筋材は交差部で結合され、前記１本の横筋材又は前記複数本の横筋材の最下部の横筋材より下方の縦筋材はそれぞれ所定の長さで下方に延伸する延伸部となっていることを特徴とする地中侵入害獣防止用柵。
【請求項２】
地上に設置された害獣侵入防止用柵の下端下方の地中を掘って、害獣侵入防止域に侵入しようとする害獣の侵入を防止する地中侵入害獣防止用柵を備えた害獣侵入防止用柵であって、
前記地中侵入害獣防止用柵は、横方向に所定の間隔で配置された複数本の縦筋材と、前記縦筋材の上部に配置された１本の横筋材又は上部から下方に向かう所定の範囲に縦方向に所定の間隔で配置された複数本の横筋材を具備し、前記１本の横筋材又は前記複数本の横筋材と前記複数本の縦筋材は交差部で結合され、前記１本の横筋材又は前記複数本の横筋材の最下部の横筋材より下方の縦筋材はそれぞれ所定の長さで下方に延伸して地中に埋設される延伸部となっている構成であることを特徴とする害獣侵入防止用柵。
【請求項３】
少なくとも一部は地中に埋設される下部柵体と、前記下部柵体の上部に固定される上部柵体とを備えた害獣侵入防止用柵であって、
前記下部柵体は、横方向に所定の間隔で配置された複数本の縦筋材と、前記縦筋材の上部から下方向に向かう所定の範囲内に縦方向に所定の間隔で配置され、前記縦筋材との交差部で結合された少なくとも２本の横筋材とを備え、前記最下部の横筋材より下方の縦筋材はそれぞれ所定の長さで下方に延伸する延伸部となっており、
前記上部柵体は、縦方向に所定の間隔で配置された複数本の横筋材と、横方向に所定の間隔で配置された複数本の縦筋材とを具備し、前記横筋材と前記縦筋材は交差部で結合され、全体が格子状となっており、
前記下部柵体の上部に前記上部柵体の下部を固定したことを特徴とする害獣侵入防止用柵。
【請求項４】
請求項３に記載の害獣侵入防止用柵において、
前記下部柵体の上部と前記上部柵体の下部とは、前記下部柵体の縦筋材上部と前記上部柵体の縦筋材下部の重ね合せ部分を結束部材で結束することで互いに固定されていることを特徴とする害獣侵入防止用柵。
【請求項５】
請求項３又は４に記載の害獣侵入防止用柵において、
前記下部柵体の前記延伸部の下端は尖っていることを特徴とする害獣侵入防止用柵。
【請求項６】
請求項５に記載の害獣侵入防止用柵において、
前記下部柵体の前記延伸部の下端の尖っている部分は害獣の侵入方向に向かって屈曲していることを特徴とする害獣侵入防止用柵。
【考案の詳細な説明】
【技術分野】
【０００１】
本考案は、農地等に侵入し、作付けしてある作物を食い荒らしたり、芝生等の植物を植栽した地表面を掘り起して荒らす害獣の侵入、特に、害獣侵入防止用柵が設置してある境界部の地中に穴を掘って柵下端の下方の地中から侵入防止対象地域に侵入する猪等の害獣の侵入防止に効果を発揮する、地中侵入害獣防止用柵及びこの地中侵入害獣防止用柵を備えた害獣侵入防止用柵に関するものである。
【背景技術】
【０００２】
猪等の害獣は、農作物、芝生、草花等の植物を植栽した畑や整地に侵入して作物を食い荒らしたり、地中に生息するミミズ等の生物を捕食するため地表を掘り起して整地自体を荒らしたりして、植栽植物に害を与える。そこで従来、害獣の侵入を防止するため、害獣侵入防止対象地域の境界（外周域）に種々の侵入防止用柵を設置している。ところが、猪等の害獣は、侵入防止用柵の外側から侵入防止用柵下端縁の下方の地中を掘り、これによって侵入防止対象地域に侵入する事例が多発していた。
【０００３】
上記のように侵入防止用柵の手前から侵入防止用柵下端縁の下方の地中を掘って、侵入防止対象地域に侵入する害獣の侵入防止対策として、特許文献１に開示されている獣類用柵がある。この獣類用柵は、地面に間隔をおいて立設された支柱と、これら支柱に張られた柵本体とを備えた構成であり、この柵本体は略垂直に立ち上がった地上垂直部分と、地上垂直部分の下端から地中に垂直に埋め込まれた地中垂直部分と、地中垂直部分の下端から水平方向に延びる地中水平部分から構成されている。そして獣類用柵の設置は、害獣侵入防止対象地域の境界に柵の地中水平部分が収容できる大きさの開口を有する溝穴を掘削して設け、この溝穴の底部に地中水平部分を設置し、この地中水平部分をアンカーで固定している。
【０００４】
上記のように特許文献１に開示されている獣類用柵は、地中垂直部分の下端から水平方向に延びる地中水平部分を備えていることにより、柵内に侵入しようとする獣類は地上垂直部分の手前から地面を直下に掘り進んで行っても途中に地中水平部分があるからそれ以上掘り進むことができなくなり、柵の下を潜ることをあきらめるというものである。
【先行技術文献】
【特許文献】
【０００５】
【特許文献１】特開２００１−２４５５４６号公報
【考案の概要】
【考案が解決しようとする課題】
【０００６】
特許文献１に開示された獣類用柵は、上記のように地中垂直部分の下端から水平方向に延びる地中水平部分を備えているため、獣類はそれ以上掘り進むことができなくなり、柵の下を潜ることをあきらめると想像できるが、柵の地中垂直部分の下端から水平方向に延びる地中水平部分を備えるため、柵自体が高価なものとなる。また、地中に地中水平部分を埋設する必要があり、そのために獣類用柵を設置する領域に開口の大きな設置用溝穴を設ける必要がある。このような開口の大きい設置用溝穴を、獣類用柵を設置する境界域全体に設けることは、工事が大掛かりとなる上、地上垂直部分を地上に垂直に設置するため、設置用溝穴の底部を水平に整地する必要があり、更に地中水平部分を設置し、アンカーで固定する必要があり、獣類用柵の設置費用が嵩むという問題もある。
【０００７】
また、特許文献１に開示された獣類用柵は、害獣侵入防止対象地域の境界に設置されている既設の獣類用柵をそのまま用いることを考慮しておらず、既設の獣類用柵をそのまま用いて構成することができないという問題もある。
【０００８】
本考案は上述の点に鑑みてなされたもので、構成自体が簡単且つ安価で、猪等の地中に穴を掘って侵入する害獣の侵入を確実に防止でき、更に設置が容易で、且つ設置のための経費が安価で、既設の地上に設置された害獣侵入防止用柵を用いて構成することも容易に行える地中侵入害獣防止用柵及び害獣侵入防止用柵を提供することを目的とする。
【課題を解決するための手段】
【０００９】
上記の課題を解決するために本考案にかかる地中侵入害獣防止用柵は、横方向に所定の間隔で配置された複数本の縦筋材と、前記縦筋材の上部に配置された１本の横筋材又は上部から下方に向かう所定の範囲に縦方向に所定の間隔で配置された複数本の横筋材を具備し、前記１本の横筋材又は前記複数本の横筋材と前記複数本の縦筋材は交差部で結合され、前記１本の横筋材又は前記複数本の横筋材の最下部の横筋材より下方の縦筋材はそれぞれ所定の長さで下方に延伸する延伸部となっていることを特徴としている。
【００１０】
また、本考案は、地上に設置された害獣侵入防止用柵の下端下方の地中を掘って、害獣侵入防止域に侵入しようとする害獣の侵入を防止する地中侵入害獣防止用柵を備えた害獣侵入防止用柵であって、前記地中侵入害獣防止用柵は、横方向に所定の間隔で配置された複数本の縦筋材と、前記縦筋材の上部に配置された１本の横筋材又は上部から下方に向かう所定の範囲に縦方向に所定の間隔で配置された複数本の横筋材を具備し、前記１本の横筋材又は前記複数本の横筋材と前記複数本の縦筋材は交差部で結合され、前記１本の横筋材又は前記複数本の横筋材の最下部の横筋材より下方の縦筋材はそれぞれ所定の長さで下方に延伸して地中に埋設される延伸部となっている構成であることを特徴としている。
【００１１】
また、本考案は、少なくとも一部は地中に埋設される下部柵体と、前記下部柵体の上部に固定される上部柵体とを備えた害獣侵入防止用柵であって、前記下部柵体は、横方向に所定の間隔で配置された複数本の縦筋材と、前記縦筋材の上部から下方向に向かう所定の範囲内に縦方向に所定の間隔で配置され、前記縦筋材との交差部で結合された少なくとも２本の横筋材とを備え、前記最下部の横筋材より下方の縦筋材はそれぞれ所定の長さで下方に延伸する延伸部となっており、前記上部柵体は、縦方向に所定の間隔で配置された複数本の横筋材と、横方向に所定の間隔で配置された複数本の縦筋材とを具備し、前記横筋材と前記縦筋材は交差部で結合され、全体が格子状となっており、前記下部柵体の上部に前記上部柵体の下部を固定したことを特徴としている。
【００１２】
また、本考案は、上記害獣侵入防止用柵において、前記下部柵体の上部と前記上部柵体の下部とは、前記下部柵体の縦筋材上部と前記上部柵体の縦筋材下部の重ね合せ部分を結束部材で結束することで互いに固定されていることを特徴としている。
【００１３】
また、本考案は、上記害獣侵入防止用柵において、前記下部柵体の前記延伸部の下端は尖っていることを特徴としている。
【００１４】
また、本考案は、上記害獣侵入防止用柵において、前記下部柵体の前記延伸部の下端の尖っている部分は害獣の侵入方向に向かって屈曲していることを特徴としている。
【考案の効果】
【００１５】
本考案に係る地中侵入害獣防止用柵は、横方向に害獣が侵入できない所定の間隔で配置された複数本の縦筋材の上部に１本の横筋材又は上部から下方の所定範囲に複数本の横筋材を配置し、縦筋材と横筋材の交差部で互いに結合され、横筋材より下方の縦筋材は所定の長さで下方に延伸する延伸部となっている構成なので、例えば、地上に設置された既設の害獣侵入防止用柵の下端縁に沿って延伸部を地面から差し込む等により、地中に延伸部の縦筋材を容易に埋設することができ、且つ確実に害獣の侵入を防止できる。
【００１６】
本考案に係る害獣侵入防止用柵は、下部柵体と上部柵体とを備え、下部柵体の上部に上部柵体の下部を固定した構成であるので、害獣の侵入を防止する地域の外周に下部柵体の延伸部を挿入配置する開口幅の小さい溝を設け、この溝内に下部柵体の延伸部を挿入した後この溝を埋め込むか、或いは前記外周の土壌が下部柵体の延伸部の縦筋材が挿入し易い軟らかい土壌である場合は、直接延伸部の縦筋材を地中に差し込むという簡単な作業で下部柵体を設置できると共に、下部柵体の上部に上部柵体の下部を固定するだけの簡単な作業で、害獣侵入防止用柵を設置することが可能となる。
【００１７】
また、下部柵体は、縦筋材の上部から下方向に向かう所定の範囲に縦方向に所定の間隔で配置され、縦筋材との交差部で結合された少なくとも２本の横筋材とを備え、最下部の横筋材から下方の縦筋材がそれぞれ所定の長さで下方に延伸する延伸部となっている構成なので、延伸部が地中に埋設されることにより、侵入防止地域に侵入しようとする害獣が下部柵体の外側で地中を掘り起しても、延伸部があるので、それより先への侵入を諦める。特に縦筋材の下端が尖っている場合や、尖っている部分が害獣侵入の侵入方向に屈曲している場合は、例え縦筋材の下端の下側まで地中を掘り進んでも、侵入する害獣の身体に尖っている部分が突き刺さり負傷するから、それより先への侵入を諦め、これによってさらに侵入防止の効果が大きくなる。
【００１８】
また、下部柵体の上部と上部柵体の下部との固定は、下部柵体の上部の縦筋材と上部柵体の下部の縦筋材の重ね合せ部分を結束部材で結束し、両者を互いに固定するので、市販の結束部材を利用して、簡単な作業で且つ安価に下部柵体に上部柵体を固定することができる。
【図面の簡単な説明】
【００１９】
【図１】本考案に係る害獣侵入防止用柵の概略構成を示す図で、図１（ａ）は上部柵体の概略構成を、図１（ｂ）は下部柵体の概略構成をそれぞれ示す図である。
【図２】図２（ａ）は上部柵体の一部構成を、図２（ｂ）は下部柵体の一部構成をそれぞれ示す図である。
【図３】本考案に係る害獣侵入防止用柵の設置手順を示す図で、図３（ａ）は上部柵体を、図３（ｂ）は下部柵体を、図３（ｃ）は下部柵体を設置するための溝をそれぞれ示す図である。
【図４】本考案に係る害獣侵入防止用柵の設置手順を示す図で、図４（ａ）は上部柵体を、図４（ｂ）は設置された下部柵体を、図４（ｃ）は設置された害獣侵入防止用柵をそれぞれ示す図である。
【図５】図５（ａ）、（ｂ）は、それぞれ本考案に係る害獣侵入防止用柵の下部柵体の縦筋材の下端形状を示す図である。
【考案を実施するための形態】
【００２０】
以下、本考案の実施の形態について、詳細に説明する。図１は本考案に係る害獣侵入防止用柵の概略構成を示す図であり、図１（ａ）は上部柵体３０を、図１（ｂ）は下部柵体１０をそれぞれ示す。また、図２（ａ）は上部柵体３０の一部拡大図であり、図２（ｂ）は下部柵体１０の一部拡大図である。本害獣侵入防止用柵は、図１（ａ）に示す上部柵体３０と、図１（ｂ）に示す下部柵体１０を備え、後に詳述するように、下部柵体１０の横筋材１４より下方に位置する縦筋材１２を地中に埋設して下部柵体１０を固定し、固定した下部柵体１０の上部に後に詳述するように、上部柵体３０の下部を固定する構成である。
【００２１】
上部柵体３０は、図１（ａ）に示すように、横方向（矢印Ｘ方向）に所定の間隔Ｐ１で配置した複数本（図では１４本）の縦筋材３２と、縦方向（矢印Ｙ方向）に所定の間隔Ｐ２で配置した複数本（図では８本）の横筋材３４を備えている。縦筋材３２と横筋材３４はそれぞれ直交して配置されている。図２（ａ）に示すように、縦筋材３２と横筋材３４との交差部３６にて、縦筋材３２と横筋材３４は互いに溶接等により結合され、全体として格子状に形成された構成である。縦筋材３２と縦筋材３２との間隔Ｐ１及び横筋材３４と横筋材３４との間隔Ｐ２の寸法は侵入を防止する害獣の身体の大きさ等によって異なり、間隔Ｐ１と間隔Ｐ２で形成される空間を害獣が通り抜けられない大きさとする。ここではＰ１＝１５０ｍｍ、Ｐ２＝１１０ｍｍとしている。また、縦筋材３２及び横筋材３４には侵入しようとする害獣によって破壊されたり、簡単に折れ曲がったりしない適当な強度を有するものを用いるが、ここではΦ６ｍｍの亜鉛メッキ鉄材を使用した鉄筋を用いている。
【００２２】
下部柵体１０は、図１（ｂ）に示すように、横方向（矢印Ｘ方向）に所定の間隔Ｐ３で配置した複数本（図では２７本）の縦筋材１２と、複数本の縦筋材１２の上端に１本の横筋材１４と、その下方向（矢印Ｙの逆方向）に所定の間隔Ｐ４を置いて１本の横筋材１４を配置し、即ち複数本の縦筋材１２の上端から下方に向かって間隔Ｐ４の範囲に２本の横筋材１４、１４を図２（ｂ）に示すように配置し、交差部１６にて縦筋材１２と横筋材１４を互いに溶接等により結合した構成である。そして下方の横筋材１４より下方の縦筋材１２はそれぞれ所定の長さで下方に延伸する延伸部１２ａとなっている。なお、図１（ｂ）では、複数本の縦筋材１２の上端部から所定の範囲内に２本の横筋材１４を配置した構成であるが、横筋材１４の本数は２本に限定されるものではなく、複数本の縦筋材１２の上部を１本の横筋材１４で支持しただけでも、下部柵体１０としての強度や機能が保たれるのであれば、縦筋材１２は１本でもよい。また、複数本の縦筋材１２の支持強度をより強くしたければ、縦筋材１２の上部から所定の範囲内に少なくとも２本以上の複数本の横筋材１４を配置した構成でもよい。また、ここでは、最下部の横筋材１４より下方の縦筋材１２は所定の長さＬまで延伸した延伸部１２ａとする。
【００２３】
上記延伸部１２ａの長さＬは、害獣の種類、害獣侵入防止用柵を設置する土壌の状態等によって異なるが、ここではＬ＝３９０ｍｍとしている。また、下部柵体１０の縦筋材１２と縦筋材１２との間隔Ｐ３及び横筋材１４と横筋材１４との間隔Ｐ４の寸法は、地中を掘り進む害獣が通り抜けることができないように、害獣の身体寸法より小さく、特に延伸部１２ａの縦筋材１２と縦筋材１２の間隔Ｐ３は侵入する害獣により、縦筋材１２が折り曲がり、間隔Ｐ３が簡単に広がらない強度の縦筋材１２とする必要がある。ここではＰ３＝Ｐ１／２＝７５ｍｍとし、Ｐ４＝１１０ｍｍとし、縦筋材１２及び横筋材１４にはΦ６ｍｍの亜鉛メッキ鉄材を使用している。亜鉛メッキ鉄筋材は土中にあって優れた耐食性を発揮する。
【００２４】
害獣侵入防止用柵の設置手順は、先ず害獣の侵入を防止する地域の外周の地表面５１に図３（ｃ）に示すように開口幅Ｐ５の下部柵体１０の延伸部１２ａを埋設するための下部柵設置溝５２を設ける。下部柵設置溝５２の深さは下部柵体１０の延伸部１２ａの長さＬと略等しい深さとする。但し、下部柵体１０の延伸部１２ａには横筋材１４が固定されていないから、縦筋材１２は横筋材１４が大きく変形しない範囲で土中に差し込むことが可能であるので、下部柵設置溝５２の底部は必ずしも平坦である必要がなく、多少の凹凸があっても構わない。
【００２５】
次に下部柵設置溝５２に下部柵体１０の延伸部１２ａを挿入して下部柵体１０を仮設置する。その後下部柵体１０を垂直状態にし、図４（ｂ）に示すように下部柵設置溝５２内に下部柵設置溝５２を掘り起したときに発生した土壌を投入し、延伸部１２ａを埋め込み、固定すると共に、下部柵設置溝５２を埋め込んだ土壌により埋込土壌表面５４を形成する。なお、害獣侵入防止用柵を設置する部分の土壌が砂地等で下部柵体１０の縦筋材１２を容易に差し込むことができる場合は、下部柵設置溝５２を設けることなく、下部柵体１０の延伸部１２ａを地面に直接差し込んで、下部柵体１０を設置してもよい。また、砂地でなく、通常の土壌でも、ハンマー等を用いて、延伸部１２ａを打ち込むことも可能である。
【００２６】
次に、図４（ｃ）に示すように、下部柵体１０の上部に位置する２本の横筋材１４、１４がそれぞれ上部柵体３０の下部の２本の横筋材３４、３４に重なる用に重ね合わせ、下部柵体１０の縦筋材１２と上部柵体３０の縦筋材３２及び下部柵体１０の横筋材１４と上部柵体３０の横筋材３４を締結バンド等の締結治具（図示せず）で締結することにより、下部柵体１０の上部と上部柵体３０の下部とを互いに固定する。
【００２７】
上記のように本害獣侵入防止用柵は、下部柵体１０の延伸部１２ａの縦筋材１２を地中に埋設し、該下部を地中に埋設した下部柵体１０の上部に上部柵体３０の下部を結束バンドで結束固定する構成であるので、本害獣侵入防止用柵で害獣侵入防止対象地域の外周を囲むと、害獣侵入防止対象地域の外周の地下が、深さＬの下部柵体１０の延伸部１２ａで囲まれることになる。これにより猪等の害獣侵入防止用柵の外側から、穴を掘って害獣侵入防止用柵内に侵入しようとする害獣がいても、延伸部１２ａがあるので、それより先への侵入を諦める。また例え延伸部１２ａの下端まで穴を掘っても、地中を掘り進む時は頭部を上下動させる等、身体を動かしながら牙や又は爪等によって地中を掘り進むので、硬い延伸部１２ａの縦筋材１２の下端が害獣の頭部や身体に突き当たることになり、これによっても害獣は頭部や身体に痛みを感じたり、場合によっては頭部や身体を傷めることになるので、害獣はそれ以上地中を掘り進むことを諦め、害獣の土中へのそれ以上の侵入を防止できる。
【００２８】
また、下部柵体１０の延伸部１２ａの下端を図５（ａ）に示すように、鋭く尖らせることにより、延伸部１２ａの下端より下の地中を掘り進む害獣の侵入阻止に更に効果を奏する。また、図５（ｂ）に示すように延伸部１２ａの鋭く尖らせた部分を害獣の侵入する方向に屈曲することにより、害獣の侵入阻止に更に効果を奏する。
【００２９】
上記のように下部柵体１０の延伸部１２ａの縦筋材１２が土中にあって、害獣の侵入を防止する機能を有するから、下部柵体１０はそれ自体が地中侵入害獣防止用柵を構成することになる。よって、下部柵体１０を地中侵入害獣防止用柵として既存の害獣侵入防止用柵にも使用することができる。即ち既存の地面に設置されている害獣侵入防止用柵の下端縁が位置する地面に図３（ｃ）に示すような下部柵設置溝５２を設け、この下部柵設置溝５２に下部柵体１０の延伸部１２ａを埋め込むか、又はこの害獣侵入防止用柵の下端縁が位置する地面に下部柵体１０の延伸部１２ａの縦筋材１２を差し込むことにより、既存の害獣侵入防止用柵の下端縁に下部柵体１０を設置することができる。これにより、既存の地上に設置された害獣侵入防止用柵の下端縁下方の土中を掘りながら侵入防止地域に侵入しようとする害獣の侵入を確実に防止できる。
【００３０】
上記のように、下部柵体１０は、横方向に所定の間隔で配置された複数本の縦筋材１２と、縦筋材１２の上端から下方向に向かう所定の範囲に縦方向に所定の間隔で配置され、縦筋材１２との交差部で互いに結合された２本の横筋材１４とを備え、最下部の横筋材１４から下方の縦筋材１２をそれぞれ所定の長さで下方に延伸する延伸部１２ａとする構成とされているので、地面に開口幅寸法の大きな下部柵設置溝を設けることなく、開口幅寸法の小さい下部柵設置溝を設けるか、設置場所の土壌の状態によっては、下部柵体１０の縦筋材１２の延伸部１２ａを直接差し込むだけで、下部柵体１０の設置が可能である等、下部柵体１０の設置が極めて簡単となる。
【００３１】
また、上記のように簡単な設置作業で設置した下部柵体１０の上部に上部柵体３０の下部を固定するだけで、本害獣侵入防止用柵の設置作業が終了するので、本害獣侵入防止用柵を設置するための費用が極めて安価となる。本害獣侵入防止用柵を構成する上部柵体３０と下部柵体１０の構成自体も簡単であるので、上部柵体３０及び下部柵体１０の価格も安価となる。
【００３２】
また、図示は省略するが、下部柵体１０に上部柵体３０を取り付けた後の本害獣侵入防止用柵の上部柵体３０の頂部又は外側に絶縁碍子を介して、裸電線を張り巡らし、該裸電線に高圧電気パルスを通電することにより、上部柵体３０を乗り越えて侵入する害獣の侵入を防止できる。即ち、本害獣侵入防止用柵の上部柵体３０に害獣侵入防止用電気柵を取り付けることも可能である。
【００３３】
以上、本願考案の実施形態例を説明したが、本考案は上記実施形態例に限定されるものではなく、実用新案登録請求の範囲、及び明細書と図面に記載された技術的思想の範囲内において種々の変形が可能である。なお、直接明細書及び図面に記載がない何れの形状や構造や材質であっても、本願考案の作用効果を奏する以上、本願考案の技術的思想の範囲内である。例えば、上記実施形態例では、上部柵体３０の縦筋材３２と横筋材３４の交差部を溶接し互いに結合する例を示したが、交差部の縦筋材３２と横筋材３４を結合治具で締め付け固定するようにしてもよい。下部柵体１０の縦筋材１２と横筋材１４の交差部も同様である。また上記実施形態例では、下部柵体１０の延伸部１２ａの部分を地中に埋設したが、さらに横筋材１４の部分も埋設しても良い。また場合によっては、上部柵体は可撓性のあるネット等で構成しても良い。
【符号の説明】
【００３４】
１０  下部柵体
１２  縦筋材
１２ａ  延伸部
１４  横筋材
１６  交差部
３０  上部柵体
３２  縦筋材
３４  横筋材
３６  交差部
５１  地表面
５２  下部柵設置溝
５４  埋込土壌表面
【図１】
0003205632.tif 000003
【図２】
0003205632.tif 000004
【図３】
0003205632.tif 000005
【図４】
0003205632.tif 000006
【図５】
0003205632.tif 000007